(57)【要約】【課題】フィルタを十分に振動させて付着した塵埃を十分に除去することができると共に、塵埃を除去する際に生じる音を抑制することができる電気掃除機を提供すること。【解決手段】集塵容器（集塵部）１２及びこの集塵容器１２に吸込負圧を作用させる電動送風機４が設けられた掃除機本体２と、集塵容器１２と電動送風機４とを連通する開口端部（風路）１８内に配設された細塵フィルタ（フィルタ体）１９と、この細塵フィルタ１９を振動させる除塵装置（振動付与手段）３０とを備えた電気掃除機１であって、細塵フィルタ１９は、開口端部１８に嵌合するフィルタ枠（フレーム）２０と、このフィルタ枠２０を閉成するフィルタ部材（フィルタ）２１と、このフィルタ部材２１の形状を保持すると共に除塵手段３０に叩かれるフィルタ骨部２８とを有し、フィルタ骨部２８は、軟質樹脂によって形成されている。【選択図】図４
2007319352.tif 000002
【特許請求の範囲】
【請求項１】
集塵部及びこの集塵部に吸込負圧を作用させる電動送風機が設けられた掃除機本体と、前記集塵部と前記電動送風機とを連通する風路内に配設されたフィルタ体と、このフィルタ体を振動させる振動付与手段とを備えた電気掃除機であって、
前記フィルタ体は、前記風路に嵌合するフレームと、このフレームを閉成するフィルタと、このフィルタの形状を保持すると共に前記振動付与手段に叩かれるフィルタ骨部とを有し、前記フィルタ骨部は、軟質樹脂によって形成されていることを特徴とする電気掃除機。
【請求項２】
前記フレームは、軟質樹脂によって形成されていることを特徴とする請求項１に記載の電気掃除機。
【発明の詳細な説明】
【技術分野】
【０００１】
本発明は、集塵部と電動送風機との間に設けられると共に、振動付与手段によって振動させられるフィルタ体を備えた電気掃除機に関するものである。
【背景技術】
【０００２】
従来から、電動送風機を内蔵した掃除機本体に集塵容器を着脱自在に装着すると共に、この集塵容器と電動送風機との間にプリーツフィルタを嵌着した電気掃除機が知られている（例えば、特許文献１参照）。
【０００３】
この電気掃除機では、プリーツフィルタの後方（エア流の下流側）にプリーツフィルタに付着した塵埃を除去するための振動付与手段が配設されている。
【０００４】
また、プリーツフィルタは、集塵容器の後部内に嵌合するフレームと、このフレームの内側を閉成するフィルタと、このフィルタを蛇腹状に折り曲げた形状に保持する多数のフィルタ骨部とを備えている。
【特許文献１】特開２００６−６３８３号公報
【発明の開示】
【発明が解決しようとする課題】
【０００５】
ところで、上述の電気掃除機では、フレーム及びフィルタ骨部がＡＢＳ等の比較的変形しにくい硬質樹脂によって形成されており、振動付与手段によって振動が与えられてもフィルタが十分に振動できず、このフィルタに付着した塵埃を除去しきれないおそれがあった。
【０００６】
また、振動付与手段がプリーツフィルタに接触した際に生じる接触音が大きくなってしまうという問題も生じていた。
【０００７】
そこで、この発明は、フィルタを十分に振動させて付着した塵埃を十分に除去することができると共に、塵埃を除去する際に生じる音を抑制することができる電気掃除機を提供することを目的としている。
【課題を解決するための手段】
【０００８】
上記課題を解決するために、この発明は、集塵部及びこの集塵部に吸込負圧を作用させる電動送風機が設けられた掃除機本体と、前記集塵部と前記電動送風機とを連通する風路内に配設されたフィルタ体と、このフィルタ体を振動させる振動付与手段とを備えた電気掃除機であって、前記フィルタ体は、前記風路に嵌合するフレームと、このフレームを閉成するフィルタと、このフィルタの形状を保持すると共に前記振動付与手段に叩かれるフィルタ骨部とを有し、前記フィルタ骨部は、軟質樹脂によって形成されていることを特徴としている。
【発明の効果】
【０００９】
本発明の電気掃除機によれば、振動付与手段によってフィルタ骨部を比較的大きく変形させることができ、これに伴ってフィルタの変形量も大きくなる。そのため、フィルタに付着した塵埃を十分に除去することが可能となる。
【００１０】
また、フィルタ骨部が振動付与手段に叩かれる際に、このフィルタ骨部が変形して叩き音が小さくなるので、塵埃を除去する際に生じる音を抑制することができる。
【発明を実施するための最良の形態】
【００１１】
以下、この発明に係る電気掃除機を実施するための最良の形態を図面に基づいて説明する。
【００１２】
図１に示す電気掃除機１は、掃除機本体２と、この掃除機本体２の前部に形成したホース接続口７に一端が着脱可能に接続される集塵ホース８と、集塵ホース８の他端に設けられた手元操作パイプ９に着脱可能に接続される延長パイプ１０と、延長パイプ１０の先端に着脱可能に接続される吸込口体１１とを備えている。
【００１３】
掃除機本体２は、下ケース２ａと、この下ケース２ａの後上部に取り付けられた上ケース２ｂとを有している。この下ケース２ａと上ケース２ｂとの間には、図２に示したように送風機室３が形成され、この送風機室３内には電動送風機４が配設されている。
【００１４】
また、図３に示したように下ケース２ａの前部には上方に開放する容器収納凹部５が形成され、この容器収納凹部５の上部は上蓋６によって覆われている。そして、この上蓋６は、後端部を中心に前部側が上下に開閉（回動）するように上ケース２ｂの後部に取り付けられている。
【００１５】
なお、ホース接続口７は、下ケース２ａの前端部に形成されている。また、手元操作パイプ９には操作パネル９ａが設けられ、操作パネル９ａの操作により電動送風機４のＯＮ／ＯＦＦ操作や電動送風機４の吸込力（吸込負圧）の「強」、「弱」の切換を行うことができるようになっている。
【００１６】
さらに、容器収納凹部５内には、図２、図３に示したように集塵容器（集塵部）１２が着脱可能に収納されている。
【００１７】
この集塵容器１２は、図２に示したように下方に開口する集塵室１３ａが下部に設けられた容器本体１３と、集塵室１３ａの下面を開閉する底蓋１４とを有している。また、この容器本体１３の上部には、図２に示したように複数の連通口１５ａを有する円錐状の筒部１５と、筒部１５の周囲に形成された負圧室１６とが設けられている。
【００１８】
この筒部１５は、一端がホース接続口７に連通しており、他端が集塵室１３ａに連通している。さらに、この集塵室１３ａの後部壁１３ｂには負圧室１６に連通する連通開口１７が形成されている。
【００１９】
また、筒部１５の連通口１５ａには円錐筒状の第１のネットフィルタＦ１が取り付けられ、連通開口１７には第２のネットフィルタＦ２が取り付けられている。
【００２０】
さらに、容器本体１３の後部には、負圧室１６を後方に開放すると共に電動送風機４に連通する開口端部（風路）１８が形成されている。
【００２１】
この開口端部１８には、細塵フィルタ（フィルタ体）１９が着脱自在に取り付けられている。これにより、集塵容器１２は、図２に示したように容器収納凹部５に配設された（装着された）状態で、細塵フィルタ１９を介して電動送風機４の吸込開口４ａに連通させられようになっている。
【００２２】
この細塵フィルタ１９は、図４に示したように開口端部１８に嵌合する略方形筒状のフィルタ枠（フレーム）２０と、このフィルタ枠２０を閉成するフィルタ部材（フィルタ）２１と、このフィルタ部材２１の形状を保持するフィルタ骨部２７、２８（図５参照）とを有している。
【００２３】
フィルタ枠２０は、合成ゴム等のエラストマ等であって硬度が約６０度の軟質樹脂によって形成され、少なくともアクリロニトリルブタジエンスチレン樹脂や、ポリプロピレン樹脂よりも弾性変形しやすくなっている。
【００２４】
フィルタ部材２１は、周縁部がインサート成形によりフィルタ枠２０に埋設保持されており、図５に示したように横断面形状が波形状（蛇腹状）に形成されたフィルタ本体２２と、このフィルタ本体２２の上流側の面（負圧室１６側の面）を被覆している塵埃剥離用多孔質薄膜層２３とを有している。
【００２５】
なお、この塵埃剥離用多孔質薄膜層２３は、例えば孔径が０．１〜１０μｍ程度の微細孔を有するポリテトラフルオロエチレンやポリフッ化ビニリデン等から形成されており、表面が滑らかになっているので、付着した塵埃が容易に剥離できるようになっている。
【００２６】
また、波形状のフィルタ本体２２は、フィルタ枠２０の上下方向に延びると共に左右方向に配列された多数のヒダ２４を有している。このヒダ２４は、負圧室１６側から見たときの頂部２４ａと、電動送風機４側から見た頂部２４ｂとを有している。ここで、頂部２４ａの裏面は電動送風機４側から見た谷部２５となり、頂部２４ｂの裏面は負圧室１６側から見た谷部２６となる。
【００２７】
フィルタ骨部２７、２８は、フィルタ枠２０の上下方向に延びると共に左右方向に多数配列されており、長手方向両端部がフィルタ枠２０に形成されている。
【００２８】
また、このフィルタ骨部２７、２８は、合成ゴム等のエラストマ等であって硬度が約６０度の軟質樹脂によって形成され、少なくともアクリロニトリルブタジエンスチレン樹脂や、ポリプロピレン樹脂よりも弾性変形しやすくなっている。
【００２９】
さらに、フィルタ骨部２７はフィルタ本体２２の谷部２５に沿って固着され、フィルタ骨部２８はフィルタ本体２２の谷部２６に沿って固着されている。これにより、フィルタ部材２１が波形状に保形されることとなる。
【００３０】
そして、このような細塵フィルタ１９の下流側（電動送風機４側）には、図４に示すように除塵装置（振動付与手段）３０が設けられている。
【００３１】
この除塵装置３０は、フィルタ枠２０の左右方向に沿って延びるスライドレール３１と、このスライドレール３１に沿って摺動するスライド部材３２とを有している。
【００３２】
スライドレール３１は所定の幅を有する帯形状を呈しており、上下端部にそれぞれレール部３１ａ、３１ｂが形成されると共に、これらのレール部３１ａ、３１ｂ間に多数の通風孔３１ｃが形成されている。
【００３３】
スライド部材３２は、図５に示すように、つまみ部３３ａが形成された部材本体３３と、この部材本体３３から突出してレール部３１ａ、３１ｂにそれぞれ係合する一対のスライド片３４ａ、３４ｂと、部材本体３３から突出して頂部２４ｂ間に嵌り込む当接突起３５とを有している。
【００３４】
そして、つまみ部３３ａをつまんで、部材本体３３を左右方向に移動させることで、スライド片３４ａ、３４ｂがレール部３１ａ、３１ｂに沿って摺動する。また、このとき、部材本体３３から突出した当接突起３５は、頂部２４ｂに当接した後に、フィルタ骨部２８を弾性変形させながら乗り越えるようになっている。
【００３５】
つまり、当接突起３５が頂部２４ｂを乗り越える際にフィルタ骨部２８を叩き、これによりフィルタ部材２１に振動が付与されることとなる。
【００３６】
次に、上記のように構成される電気掃除機１の作用について説明する。
【００３７】
このような構成において清掃開始前には、まず上蓋６を上方に開いて容器収納凹部５を露出させ、この容器収納凹部５内に集塵容器１２を配設する。この後、上蓋６を閉じて、この上蓋６の前端部を下ケース２ａの前端部へ保持させることにより、集塵容器１２の上部を上蓋６で覆うと共に上蓋６で押さえる。
【００３８】
この状態で、手元操作パイプ９の操作パネル９ａを操作することにより電動送風機４を駆動させ、細塵フィルタ１９を介して電動送風機４の吸込負圧を集塵容器１２の負圧室１６に作用させる。
【００３９】
この負圧室１６に作用した吸込負圧は、ネットフィルタＦ１、Ｆ２、集塵ホース８、手元操作パイプ９及び延長パイプ１０を介して吸込口体１１に作用する。これにより、吸込口体１１の図示しない吸込開口から塵埃を含む空気が吸い込まれる。
【００４０】
この吸い込まれた塵埃及び空気は、延長パイプ１０、手元操作パイプ９及び集塵ホース８を介して集塵容器１２の吸込口１５ｂから筒部１５内に流入する。流入した空気は、一部がネットフィルタＦ１を介して負圧室１６内に流入し、大半が塵埃と共に集塵室１３ａ内に流入した後にネットフィルタＦ２を介して負圧室１６内に流入する。
【００４１】
この際、空気に含まれる塵埃の大半は、ネットフィルタＦ１、Ｆ２で捕捉されて、最終的には集塵室１３ａに捕集される。
【００４２】
一方、ネットフィルタＦ１、Ｆ２を空気と共に通過した細塵は、細塵フィルタ１９のフィルタ部材２１に捕捉されて空気から除去される。そして、細塵が除去された空気は、電動送風機４内に吸い込まれて内部を冷却した後に図示しない排気口から大気へ排出される。
【００４３】
そして、細塵フィルタ１９のフィルタ部材２１に捕捉された塵埃を除去するには、まず、電動送風機４を停止させて上蓋６を開き、容器収納凹部５から集塵容器１２を取り出す。さらに、この集塵容器１２から細塵フィルタ１９を取り外す。
【００４４】
その後、除塵装置３０のスライド部材３２をスライドレール３１に沿って左右方向に摺動させる。
【００４５】
このとき、スライド部材３２の部材本体３３に設けられた当接突起３５が、フィルタ部材２１の頂部２４ｂを乗り越えながら移動するので、この頂部２４ｂに沿って固着されたフィルタ骨部２８が叩かれて弾性変形し、フィルタ部材２１が振動する。
【００４６】
これにより、フィルタ部材２１に捕捉された細塵が振るい落とされ、除去されることとなる。
【００４７】
なお、ここでフィルタ部材２１は、フィルタ本体２２の上流側の面に塵埃剥離用多孔質薄膜層２３を有しているので、フィルタ部材２１に捕捉された塵埃を容易に剥離することができる。
【００４８】
さらに、スライド部材３２によって叩かれるフィルタ骨部２８が軟質樹脂によって形成されているので、スライド部材３２の当接突起３５が乗り越えていく際に、このフィルタ骨部２８を比較的大きく変形させることができる。
【００４９】
これにより、フィルタ骨部２８固着されたフィルタ部材２１の変形量も大きくなり、大きく振動させることが可能となる。そのため、このフィルタ部材２１に付着した塵埃を十分に除去することができる。
【００５０】
また、フィルタ骨部２８の変形によって、このフィルタ骨部２８の弾性変形に伴う音が抑制されるので、塵埃を除去する際に生じる音を抑制することが可能となる。
【００５１】
そして、ここではフィルタ枠２０も軟質樹脂によって形成されているので、スライド部材３２によって付与された振動が細塵フィルタ１９全体に伝達されやすくなり、フィルタ部材２１をさらに大きく振動させることができる。
【００５２】
そのため、このフィルタ部材２１に付着した塵埃を、さらに十分に除去することができる。
【００５３】
上記実施例は、キャニスター型の電気掃除機について説明したが、これに限定されるものではなく、アップライト型やハンデイ型の電気掃除機に適用してもよい。
【図面の簡単な説明】
【００５４】
【図１】この発明に係る電気掃除機の外観を示した斜視図である。
【図２】図１に示した掃除機本体の要部を破断した側面図である。
【図３】図１に示した掃除機本体の上蓋を開いた状態の斜視図である。
【図４】細塵フィルタ及び集塵容器を示す斜視図である。
【図５】図４に示した細塵フィルタと除塵装置との関係を示す断面図である。
【図６】図４に示した細塵フィルタとスライド部材との関係を示す要部を拡大した斜視図である。
【符号の説明】
【００５５】
１          電気掃除機
２          掃除機本体
４          電動送風機
１２        集塵容器（集塵室）
１８        開口端部（風路）
１９        細塵フィルタ（フィルタ体）
２０        フィルタ枠（フレーム）
２１        フィルタ部材（フィルタ）
２８        フィルタ骨部
３０        除塵装置（振動付与手段）
【図１】
2007319352.tif 000003
【図２】
2007319352.tif 000004
【図３】
2007319352.tif 000005
【図４】
2007319352.tif 000006
【図５】
2007319352.tif 000007
【図６】
2007319352.tif 000008